【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  商品に係る情報を表示する電子棚札と商品とを対応付ける方法であって、
（ａ）対応付け対象となる対象商品が載置されている商品位置の近傍において、前記対象商品に対応付けるべき対象電子棚札から電子棚札に固有のハード識別情報、および、前記対象商品から商品を識別するための商品識別情報をそれぞれ、可搬性の情報取得装置により取得する工程と、
（ｂ）取得された前記ハード識別情報と前記商品識別情報とを対応付けるリンク情報を生成する工程と、
を備えることを特徴とする対応付け方法。
【請求項２】  請求項１に記載の対応付け方法において、
（ｃ）前記（ｂ）工程の後に、前記対象電子棚札が、前記リンク情報により自装置に対応付けられた商品を特定可能な商品特定情報を表示する工程、
をさらに備えることを特徴とする対応付け方法。
【請求項３】  請求項１または２に記載の対応付け方法において、
前記対象電子棚札は、前記商品位置に予め取り付けられるものであり、
前記（ａ）工程は、
（ａ−１）前記対象電子棚札を前記商品位置に取り付けた状態で、前記ハード識別情報を前記情報取得装置により取得する工程、
を備えることを特徴とする対応付け方法。
【請求項４】  請求項３に記載の対応付け方法において、
前記（ａ−１）工程は、
前記対象電子棚札が、前記ハード識別情報を出力する出力工程と、
前記情報取得装置が、前記対象電子棚札から出力された前記ハード識別情報を入力する入力工程と、
を備えることを特徴とする対応付け方法。
【請求項５】  請求項４に記載の対応付け方法において、
前記出力工程は、前記対象電子棚札が、前記ハード識別情報を表示する工程、を含み、
前記入力工程は、前記情報取得装置が、前記対象電子棚札に表示された前記ハード識別情報を読み取る工程、を含むことを特徴とする対応付け方法。
【請求項６】  請求項４に記載の対応付け方法において、
前記出力工程は、前記対象電子棚札が、前記ハード識別情報を送信する工程、を含み、
前記入力工程は、前記情報取得装置が、前記対象電子棚札から送信された前記ハード識別情報を受信する工程、を含むことを特徴とする対応付け方法。
【請求項７】  請求項２に記載の対応付け方法において、
前記商品特定情報は、商品名を含むことを特徴とする対応付け方法。
【請求項８】  請求項２に記載の対応付け方法において、
前記商品特定情報は、前記商品識別情報を含むことを特徴とする対応付け方法。
【請求項９】  電子棚札を管理するサーバ装置と、可搬性の情報取得装置とを備える電子棚札システムであって、
前記情報取得装置は、
電子棚札から前記電子棚札に固有のハード識別情報を取得する第１取得手段と、
商品から前記商品を識別するための商品識別情報を取得する第２取得手段と、
を備え、
前記サーバ装置は、
前記情報取得装置に取得された前記ハード識別情報と前記商品識別情報とを対応付けるリンク情報を生成する生成手段、
を備えることを特徴とする電子棚札システム。
【請求項１０】  請求項９に記載の電子棚札システムにおいて、
前記情報取得装置は、
前記サーバ装置に、取得した前記ハード識別情報および前記商品識別情報を送信する送信手段、
をさらに備え、
前記サーバ装置は、
前記情報取得装置から、前記ハード識別情報および前記商品識別情報を受信する受信手段、
をさらに備えることを特徴とする電子棚札システム。
【請求項１１】  請求項１０に記載の電子棚札システムにおいて、
前記生成手段は、前記受信手段による前記ハード識別情報および前記商品識別情報の受信に応答して、前記リンク情報を生成することを特徴とする電子棚札システム。
【請求項１２】  請求項１０または１１に記載の電子棚札システムにおいて、
前記送信手段と前記受信手段とは、無線通信により前記ハード識別情報および前記商品識別情報を送受信することを特徴とする電子棚札システム。
【請求項１３】  請求項９ないし１２のいずれかに記載の電子棚札システムにおいて、
前記サーバ装置は、
前記生成手段による前記リンク情報の生成の後、当該リンク情報で対応付けがなされた前記ハード識別情報の前記電子棚札に、当該リンク情報で対応付けがなされた前記商品識別情報に係る商品を特定可能な商品特定情報を送信して表示させる手段、
をさらに備えることを特徴とする電子棚札システム。
【請求項１４】  請求項１３に記載の電子棚札システムにおいて、
前記商品特定情報は、商品名を含むことを特徴とする電子棚札システム。
【請求項１５】  請求項１３に記載の電子棚札システムにおいて、
前記商品特定情報は、前記商品識別情報を含むことを特徴とする電子棚札システム。
【請求項１６】  請求項９ないし１５のいずれかに記載の電子棚札システムにおいて、
前記電子棚札システムが有する前記電子棚札は、
自装置の前記ハード識別情報を出力する出力手段、
を備え、
前記情報取得装置の前記第１取得手段は、前記電子棚札から出力された前記ハード識別情報を入力することを特徴とする電子棚札システム。
【請求項１７】  請求項１６に記載の電子棚札システムにおいて、
前記電子棚札の前記出力手段は、前記ハード識別情報を表示する手段、を含み、
前記情報取得装置の前記第１取得手段は、前記電子棚札に表示された前記ハード識別情報を読み取ることを特徴とする電子棚札システム。
【請求項１８】  請求項１７に記載の電子棚札システムにおいて、
前記電子棚札の前記ハード識別情報を表示する手段は、前記ハード識別情報の表示を促す信号の受信に応答して前記ハード識別情報を表示するものであり、
前記情報取得装置は、
前記信号を、前記電子棚札に送信する手段、
をさらに備えることを特徴とする電子棚札システム。
【請求項１９】  請求項１６に記載の電子棚札システムにおいて、
前記電子棚札の前記出力手段は、前記ハード識別情報を送信する手段、を含み、
前記情報取得装置の前記第１取得手段は、前記電子棚札から送信された前記ハード識別情報を受信することを特徴とする電子棚札システム。
【請求項２０】  請求項１９に記載の電子棚札システムにおいて、
前記電子棚札の前記ハード識別情報を送信する手段は、前記ハード識別情報の送信を指示する信号の受信に応答して前記ハード識別情報を送信するものであり、
前記情報取得装置は、
前記信号を、前記電子棚札に送信する手段、
をさらに備えることを特徴とする電子棚札システム。
【請求項２１】  請求項１８または２０に記載の電子棚札システムにおいて、
前記信号は、無線信号であることを特徴とする電子棚札システム。
【請求項２２】  請求項９ないし１５のいずれかに記載の電子棚札システムにおいて、
前記電子棚札システムが有する前記電子棚札は、
自装置の前記ハード識別情報を示すラベル、
を備え、
前記情報取得装置の前記第１取得手段は、前記ラベルに示された前記ハード識別情報を読み取ることを特徴とする電子棚札システム。
【請求項２３】  請求項９ないし２２のいずれかに記載の電子棚札システムにおいて、
前記サーバ装置は、
前記情報取得装置に取得された前記ハード識別情報に係る前記リンク情報を削除する手段、
をさらに備えることを特徴とする電子棚札システム。
【請求項２４】  請求項９ないし２２のいずれかに記載の電子棚札システムにおいて、
前記サーバ装置は、
前記生成手段が前記リンク情報を生成する前に、前記情報取得装置に取得された前記ハード識別情報に係る前記リンク情報が存在しているかを検索し、存在していた場合は当該リンク情報を削除する手段、
をさらに備えることを特徴とする電子棚札システム。
【請求項２５】  請求項９ないし２４のいずれかに記載の電子棚札システムにおいて、
複数台の前記情報取得装置、
を備えることを特徴とする電子棚札システム。
【請求項２６】  可搬性の情報取得装置であって、
電子棚札から前記電子棚札に固有のハード識別情報を取得する第１取得手段と、
商品から前記商品を識別するための商品識別情報を取得する第２取得手段と、
前記ハード識別情報と前記商品識別情報とを対応付けるリンク情報を生成するサーバ装置に、取得された前記ハード識別情報および前記商品識別情報を送信する送信手段と、
を備えることを特徴とする情報取得装置。
【請求項２７】  請求項２６に記載の情報取得装置において、
前記送信手段は、無線通信により前記ハード識別情報および前記商品識別情報を送信することを特徴とする情報取得装置。
【請求項２８】  請求項２６または２７に記載の情報取得装置において、
前記ハード識別情報の表示を促す信号の受信に応答して自装置の前記ハード識別情報を出力する前記電子棚札に、前記信号を送信する手段、
をさらに備え、
前記第１取得手段は、前記信号に応答して前記電子棚札から出力された前記ハード識別情報を入力することを特徴とする情報取得装置。
【請求項２９】  請求項２８に記載の情報取得装置において、
前記第１取得手段は、前記信号に応答して前記電子棚札に表示された前記ハード識別情報を読み取ることを特徴とする情報取得装置。
【請求項３０】  請求項２８に記載の情報取得装置において、
前記第１取得手段は、前記信号に応答して前記電子棚札から送信された前記ハード識別情報を受信することを特徴とする情報取得装置。
【請求項３１】  請求項２８ないし３０のいずれかに記載の情報取得装置において、
前記信号は、無線信号であることを特徴とする情報取得装置。
【手続補正２】
【補正対象書類名】明細書
【補正対象項目名】００１２
【補正方法】変更
【補正の内容】
【００１２】
また、請求項４の発明は、請求項３に記載の対応付け方法において、前記（ａ−１）工程は、前記対象電子棚札が、前記ハード識別情報を出力する出力工程と、前記情報取得装置が、前記対象電子棚札から出力された前記ハード識別情報を入力する入力工程と、を備えている。
また、請求項５の発明は、請求項４に記載の対応付け方法において、前記出力工程は、前記対象電子棚札が、前記ハード識別情報を表示する工程、を含み、前記入力工程は、前記情報取得装置が、前記対象電子棚札に表示された前記ハード識別情報を読み取る工程、を含む。
【手続補正３】
【補正対象書類名】明細書
【補正対象項目名】００１３
【補正方法】変更
【補正の内容】
【００１３】
また、請求項６の発明は、請求項４に記載の対応付け方法において、前記出力工程は、前記対象電子棚札が、前記ハード識別情報を送信する工程、を含み、前記入力工程は、前記情報取得装置が、前記対象電子棚札から送信された前記ハード識別情報を受信する工程、を含む。
【手続補正４】
【補正対象書類名】明細書
【補正対象項目名】００１４
【補正方法】変更
【補正の内容】
【００１４】
また、請求項７の発明は、請求項２に記載の対応付け方法において、前記商品特定情報は、商品名を含むことを特徴とする。
【手続補正５】
【補正対象書類名】明細書
【補正対象項目名】００１５
【補正方法】変更
【補正の内容】
【００１５】
また、請求項８の発明は、請求項２に記載の対応付け方法において、前記商品特定情報は、前記商品識別情報を含むことを特徴とする。
【手続補正６】
【補正対象書類名】明細書
【補正対象項目名】００１６
【補正方法】変更
【補正の内容】
【００１６】
また、請求項９の発明は、電子棚札を管理するサーバ装置と、可搬性の情報取得装置とを備える電子棚札システムであって、前記情報取得装置は、電子棚札から前記電子棚札に固有のハード識別情報を取得する第１取得手段と、商品から前記商品を識別するための商品識別情報を取得する第２取得手段と、を備え、前記サーバ装置は、前記情報取得装置に取得された前記ハード識別情報と前記商品識別情報とを対応付けるリンク情報を生成する生成手段、を備えている。
また、請求項１０の発明は、請求項９に記載の電子棚札システムにおいて、前記情報取得装置は、前記サーバ装置に、取得した前記ハード識別情報および前記商品識別情報を送信する送信手段、をさらに備え、前記サーバ装置は、前記情報取得装置から、前記ハード識別情報および前記商品識別情報を受信する受信手段、をさらに備えている。
また、請求項１１の発明は、請求項１０に記載の電子棚札システムにおいて、前記生成手段は、前記受信手段による前記ハード識別情報および前記商品識別情報の受信に応答して、前記リンク情報を生成する。
また、請求項１２の発明は、請求項１０または１１に記載の電子棚札システムにおいて、前記送信手段と前記受信手段とは、無線通信により前記ハード識別情報および前記商品識別情報を送受信する。
また、請求項１３の発明は、請求項９ないし１２のいずれかに記載の電子棚札システムにおいて、前記サーバ装置は、前記生成手段による前記リンク情報の生成の後、当該リンク情報で対応付けがなされた前記ハード識別情報の前記電子棚札に、当該リンク情報で対応付けがなされた前記商品識別情報に係る商品を特定可能な商品特定情報を送信して表示させる手段、をさらに備えている。
また、請求項１４の発明は、請求項１３に記載の電子棚札システムにおいて、前記商品特定情報は、商品名を含む。
また、請求項１５の発明は、請求項１３に記載の電子棚札システムにおいて、前記商品特定情報は、前記商品識別情報を含む。
また、請求項１６の発明は、請求項９ないし１５のいずれかに記載の電子棚札システムにおいて、前記電子棚札システムが有する前記電子棚札は、自装置の前記ハード識別情報を出力する出力手段、を備え、前記情報取得装置の前記第１取得手段は、前記電子棚札から出力された前記ハード識別情報を入力する。
また、請求項１７の発明は、請求項１６に記載の電子棚札システムにおいて、前記電子棚札の前記出力手段は、前記ハード識別情報を表示する手段、を含み、前記情報取得装置の前記第１取得手段は、前記電子棚札に表示された前記ハード識別情報を読み取る。
また、請求項１８の発明は、請求項１７に記載の電子棚札システムにおいて、前記電子棚札の前記ハード識別情報を表示する手段は、前記ハード識別情報の表示を促す信号の受信に応答して前記ハード識別情報を表示するものであり、前記情報取得装置は、前記信号を、前記電子棚札に送信する手段、をさらに備えている。
また、請求項１９の発明は、請求項１６に記載の電子棚札システムにおいて、前記電子棚札の前記出力手段は、前記ハード識別情報を送信する手段、を含み、前記情報取得装置の前記第１取得手段は、前記電子棚札から送信された前記ハード識別情報を受信する。
また、請求項２０の発明は、請求項１９に記載の電子棚札システムにおいて、前記電子棚札の前記ハード識別情報を送信する手段は、前記ハード識別情報の送信を指示する信号の受信に応答して前記ハード識別情報を送信するものであり、前記情報取得装置は、前記信号を、前記電子棚札に送信する手段、をさらに備えている。
また、請求項２１の発明は、請求項１８または２０に記載の電子棚札システムにおいて、前記信号は、無線信号である。
また、請求項２２の発明は、請求項９ないし１５のいずれかに記載の電子棚札システムにおいて、前記電子棚札システムが有する前記電子棚札は、自装置の前記ハード識別情報を示すラベル、を備え、前記情報取得装置の前記第１取得手段は、前記ラベルに示された前記ハード識別情報を読み取る。
また、請求項２３の発明は、請求項９ないし２２のいずれかに記載の電子棚札システムにおいて、前記サーバ装置は、前記情報取得装置に取得された前記ハード識別情報に係る前記リンク情報を削除する手段、をさらに備えている。
また、請求項２４の発明は、請求項９ないし２２のいずれかに記載の電子棚札システムにおいて、前記サーバ装置は、前記生成手段が前記リンク情報を生成する前に、前記情報取得装置に取得された前記ハード識別情報に係る前記リンク情報が存在しているかを検索し、存在していた場合は当該リンク情報を削除する手段、をさらに備えている。
また、請求項２５の発明は、請求項９ないし２４のいずれかに記載の電子棚札システムにおいて、複数台の前記情報取得装置、を備えている。
【手続補正７】
【補正対象書類名】明細書
【補正対象項目名】００１７
【補正方法】変更
【補正の内容】
【００１７】
また、請求項２６の発明は、可搬性の情報取得装置であって、電子棚札から前記電子棚札に固有のハード識別情報を取得する第１取得手段と、商品から前記商品を識別するための商品識別情報を取得する第２取得手段と、前記ハード識別情報と前記商品識別情報とを対応付けるリンク情報を生成するサーバ装置に、取得された前記ハード識別情報および前記商品識別情報を送信する送信手段と、を備えている。
また、請求項２７の発明は、請求項２６に記載の情報取得装置において、前記送信手段は、無線通信により前記ハード識別情報および前記商品識別情報を送信する。
また、請求項２８の発明は、請求項２６または２７に記載の情報取得装置において、前記ハード識別情報の表示を促す信号の受信に応答して自装置の前記ハード識別情報を出力する前記電子棚札に、前記信号を送信する手段、をさらに備え、前記第１取得手段は、前記信号に応答して前記電子棚札から出力された前記ハード識別情報を入力する。
また、請求項２９の発明は、請求項２８に記載の情報取得装置において、前記第１取得手段は、前記信号に応答して前記電子棚札に表示された前記ハード識別情報を読み取る。
また、請求項３０の発明は、請求項２８に記載の情報取得装置において、前記第１取得手段は、前記信号に応答して前記電子棚札から送信された前記ハード識別情報を受信する。
また、請求項３１の発明は、請求項２８ないし３０のいずれかに記載の情報取得装置において、前記信号は、無線信号である。
【手続補正８】
【補正対象書類名】明細書
【補正対象項目名】００７８
【補正方法】変更
【補正の内容】
【００７８】
【発明の効果】
以上、説明したように、請求項１ないし８の発明によれば、ハード識別情報および商品識別情報の取得が、対象商品が載置されている位置の近傍でなされることから、対応付け処理のために商品の搬送が必要ないため、対応付け処理に係る作業の作業効率を向上することができる。これとともに、電子棚札がリンク情報により対応付けられた商品とは別の商品の位置に誤って取り付けられるといった取付ミスを防止できる。
【手続補正９】
【補正対象書類名】明細書
【補正対象項目名】００８１
【補正方法】変更
【補正の内容】
【００８１】
また、特に請求項５の発明によれば、対象電子棚札がハード識別情報を表示し、そのハード識別情報を情報取得装置が読み取るため、ハード識別情報を示すラベルなどを電子棚札に予め貼付しておくことなく、電子棚札を商品位置に取り付けた状態でハード識別情報を取得できる。
【手続補正１０】
【補正対象書類名】明細書
【補正対象項目名】００８２
【補正方法】変更
【補正の内容】
【００８２】
また、特に請求項６の発明によれば、対象電子棚札がハード識別情報を送信し、そのハード識別情報を情報取得装置が受信するため、ハード識別情報を示すラベルなどを電子棚札に予め貼付しておくことなく、電子棚札を商品位置に取り付けた状態でハード識別情報を取得できる。
【手続補正１１】
【補正対象書類名】明細書
【補正対象項目名】００８３
【補正方法】変更
【補正の内容】
【００８３】
また、特に請求項７の発明によれば、対象電子棚札が自装置に対応付けられた商品の商品名を表示するため、電子棚札が対応付けられた商品を直感的に認識することができる。
【手続補正１２】
【補正対象書類名】明細書
【補正対象項目名】００８４
【補正方法】変更
【補正の内容】
【００８４】
また、特に請求項８の発明によれば、対象電子棚札が自装置に対応付けられた商品の商品識別情報を表示するため、電子棚札が対応付けられた商品を正確に認識することができる。
【手続補正１３】
【補正対象書類名】明細書
【補正対象項目名】００８５
【補正方法】変更
【補正の内容】
【００８５】
また、請求項９ないし３１の発明によれば、請求項１の対応付け方法に使用することができ、対応付け処理に係る作業の作業効率を向上することができるとともに、取付ミスを防止できる。